(57)【要約】【課題】給水水圧の変化等による補給水の水量のばらつきを補正し、目標通りの洗浄性能、ランニングコストを確保することができる食器洗い機を提供する。【解決手段】洗浄槽１と、洗浄槽１内に配された洗浄ノズル４と、洗浄槽１内の所定の水位を検知する水位検知装置１１と、洗浄槽１内へ給水する給水弁１０とを備え、前記所定の水位をすすぎ運転時の水位とし、洗浄運転時に前記所定の水位より高くなるように水の補給を行う補給水を実行し、洗浄運転開始から所定の時間経過後に洗浄運転を一時停止し、水位検知装置１１で洗浄水が前記所定の水位に達しているかいなかを検知し、達していない場合は再度補給水を実行して、給水水圧等の違いによる補給水の水量のばらつきや、洗浄する食器類の量や形状による洗浄運転時の水位のばらつきを補正し、必要最小限の洗浄水で目標通りの洗浄性能、ランニングコストを確保する。【選択図】図１
2005237405.tif 000002
【特許請求の範囲】
【請求項１】
洗浄槽と、前記洗浄槽内に配された洗浄ノズルと、前記洗浄ノズルに洗浄水を圧送する洗浄ポンプと、前記洗浄槽内の所定の水位を検知する水位検知装置と、前記洗浄槽内へ給水する給水手段とを備え、前記所定の水位をすすぎ運転時の水位とし、洗浄運転時に前記所定の水位より高くなるように水の補給を行う補給水を実行し、洗浄運転開始から所定の時間経過後に洗浄運転を一時停止し、前記水位検知装置で洗浄水が前記所定の水位に達しているかいなかを検知し、達していない場合は再度補給水を実行する食器洗い機。
【請求項２】
洗浄運転開始から所定の時間経過後に行う水位検知装置による水位検知およびその結果に基づく補給水の実行を複数回行うようにした請求項１記載の食器洗い機。
【発明の詳細な説明】
【技術分野】
【０００１】
本発明は洗浄ノズルで洗浄水を噴射して食器類の洗浄を行う食器洗い機に関するものである。
【背景技術】
【０００２】
従来、この種の食器洗い機は使用水量を減らしランニングコストを削減するために、すすぎ運転中は洗浄運転中よりも少ない水量で正常運転が可能であるということに着目し、すすぎ運転時の水位を基準水位とし、洗浄運転時はこの基準水位に水を補給する補給水行程を設けることにより、すすぎ運転時の水量を洗浄運転時の水量より少なくなるようにしていた。
【０００３】
図２を用いて、上記従来の食器洗い機の一例について説明する。
【０００４】
洗浄槽１は前方に開口部２を有し、この開口部２を扉３により開閉するとともに、内部に洗浄水を噴射する回転自在のノズル４と、食器類５を収納する食器かご６が配置されている。また、洗浄槽１内の洗浄水はヒータ７によって温水化され、洗浄ポンプ８にてノズル４に圧送されて食器類５に向けて噴射し、それを循環させることにより食器類５が洗浄される。洗浄行程が終了すると、排水ポンプ９によって洗浄水は機外に排出される。１０は、給水手段である給水弁で、これを開閉することにより、洗浄槽１への洗浄水の供給を入り切りするものである。１１は、水位検知装置で、洗浄槽１内の水位が所定の水位に達しているかどうかを検知するものである。１２は制御装置で、ヒータ７、洗浄ポンプ８、排水ポンプ９、給水弁１０、水位検知装置１１等の制御等を行う。
【０００５】
以上のように構成された食器洗い機について、その動作を以下に説明する。
【０００６】
食器類５を食器かご６にセットし、洗剤を投入し運転を開始すると、水位検知装置１１が所定の水位に達したことを検知するまで給水弁１０から水が洗浄槽１内に給水される。所定水位に達すると一旦給水が停止し、その後所定の時間給水を行う補給水が実行され、この補給水が終了すると洗浄ポンプ８、ヒータ７に通電され、洗浄水はヒータ７で加熱されながらノズル４から食器類５に向け噴射され、食器類５の洗浄を行う。
【０００７】
洗浄行程が終了すると排水ポンプ９に通電され、洗浄水を機外に排出する。つぎに新たに水位検知装置１１が所定の水位に達したことを検知するまで給水弁１０から水が洗浄槽１内に給水され、この給水が終了すると洗浄ポンプ８が作動し、すすぎ行程が実行される。このように洗浄行程時の水位がすすぎ行程時の水位より高くなるように設定されている（例えば、特許文献１参照）。
【特許文献１】特開２００１−５７９５７号公報
【発明の開示】
【発明が解決しようとする課題】
【０００８】
しかしながら、このような従来の食器洗い機では、洗浄運転のための補給水は、給水弁１０を所定時間開いて行っているため、給水水圧等の違いにより、給水流量が異なり、補給される水の量に多少が生じたり、洗浄運転が始まると洗浄槽１内の水は食器類５や洗浄槽１に付着するため、食器類５の量や形状によりこの付着量に多少が生じたりし、洗浄運転中の水位が低くなってしまった場合は、補給水の本来の効果が得られず、洗浄運転時にエアーがみが発生し、洗浄力が低下するという課題があった。またこのような洗浄力の低下を避けるために補給水の量を多めに設定すると、必要以上に使用水量が増え、ランニングコストの増加を招くという問題を有していた。
【０００９】
本発明は、上記従来の課題を解決するもので、給水水圧等の違いによる補給水の水量のばらつきや、洗浄する食器類の量や形状による洗浄運転時の水位のばらつきを補正し、目標通りの洗浄性能、ランニングコストを確保することができる食器洗い機を提供することを目的としている。
【課題を解決するための手段】
【００１０】
上記従来の課題を解決するために、本発明の食器洗い機は、洗浄槽と、前記洗浄槽内に配された洗浄ノズルと、前記洗浄ノズルに洗浄水を圧送する洗浄ポンプと、前記洗浄槽内の所定の水位を検知する水位検知装置と、前記洗浄槽内へ給水する給水手段とを備え、前記所定の水位をすすぎ運転時の水位とし、洗浄運転時に前記所定の水位より高くなるように水の補給を行う補給水を実行し、洗浄運転開始から所定の時間経過後に洗浄運転を一時停止し、前記水位検知装置で洗浄水が前記所定の水位に達しているかいなかを検知し、達していない場合は再度補給水を実行するもので、給水水圧等の違いによる補給水の水量のばらつきや、洗浄する食器類の量や形状による洗浄運転時の水位のばらつきを補正することができるので、必要最小限の洗浄水で目標通りの洗浄性能、ランニングコストを確保することができる食器洗い機を提供することができる。
【発明の効果】
【００１１】
本発明の食器洗い機は、給水水圧等の違いによる補給水の水量のばらつきや、洗浄する食器類の量や形状による洗浄運転時の水位のばらつきを補正し、目標どおりの性能やランニングコストを確保することができる食器洗い機を実現することができる。
【発明を実施するための最良の形態】
【００１２】
第１の発明は、洗浄槽と、前記洗浄槽内に配された洗浄ノズルと、前記洗浄ノズルに洗浄水を圧送する洗浄ポンプと、前記洗浄槽内の所定の水位を検知する水位検知装置と、前記洗浄槽内へ給水する給水手段とを備え、前記所定の水位をすすぎ運転時の水位とし、洗浄運転時に前記所定の水位より高くなるように水の補給を行う補給水を実行し、洗浄運転開始から所定の時間経過後に洗浄運転を一時停止し、前記水位検知装置で洗浄水が前記所定の水位に達しているかいなかを検知し、達していない場合は再度補給水を実行するもので、給水水圧等の違いによる補給水の水量のばらつきや、洗浄する食器類の量や形状による洗浄運転時の水位のばらつきを補正することができるので、必要最小限の洗浄水で目標通りの洗浄性能、ランニングコストを確保する事ができる食器洗い機を提供することができる。
【００１３】
第２の発明は、特に、上記第１の発明の洗浄運転開始から所定の時間経過後に行う水位検知装置による水位検知およびその結果に基づく補給水の実行を複数回行うようにしたもので、補給される水の量を精度良く確保でき、信頼性の向上が図れる。
【００１４】
以下、本発明の実施の形態について、図面を参照しながら説明する。また、この実施の形態によって本発明が限定されるものではない。
【００１５】
（実施の形態１）
本発明の第１の実施の形態における食器洗い機の構成は、従来例と同一で運転方法のみ異なるので、図１に示す食器洗い機の運転動作を示すフローチャートを用いて、本実施の形態を説明する。従って、従来例と同一部分について同一符号を付してその説明を省略する。
【００１６】
図１において、食器類５を食器かご６にセットし、洗剤を投入し運転を開始すると、制御装置１２により、水位検知装置１１が所定の水位に達したことを検知するまで給水手段である給水弁１０から水が洗浄槽１内に給水される。所定水位に達すると一旦給水が停止し、その後所定の時間給水を行う補給水が実行される。この補給水が終了すると洗浄ポンプ８の運転と供に洗浄運転が開始する。その洗浄運転が所定の時間行なわれた後一時停止し、再度水位検知装置１１で水が所定の水位に達しているかを検知し、達している場合は、ひき続き洗浄運転を行い、達していない場合は、再度所定の時間給水を行う補給水が実行され、その後洗浄運転を行うようにしたものである。
【００１７】
そして、洗浄行程が終了すると、排水ポンプ９に通電され、洗浄水を機外に排出する。つぎに新たに水位検知装置１１が所定の水位を検知するまで給水弁１０から水が洗浄槽１内に給水され、この給水が終了すると洗浄ポンプ８が作動し、すすぎ行程が実行される。
【００１８】
以上のように、本実施の形態によれば、給水水圧等の違いによる補給水の水量のばらつきや、洗浄する食器類５の量や形状による洗浄運転時の水位のばらつきを補正することができるので、必要最小限の洗浄水で目標通りの洗浄性能が得られ、ランニングコストが増加することが無い食器洗い機を提供することができる。
【００１９】
また、上記実施の形態では、所定時間洗浄運転を行った後の水位の検知を１回のみ行ったが、所定時間の洗浄運転と水位検知を繰りかえし複数回行うようにすれば、補給水の量を精度良く確保でき、信頼性の向上が図れるのはいうまでもない。
【産業上の利用可能性】
【００２０】
以上のように、本発明にかかる食器洗い機は、給水水圧等の違いによる補給水の水量のばらつきや、洗浄する食器類の量や形状による洗浄運転時の水位のばらつきに対応することができるので、安定したしかも目標通りの洗浄性能や適正なランニングコストを確保することができるもので、家庭用、業務用食器洗い機や、洗浄機器に適用できる。
【図面の簡単な説明】
【００２１】
【図１】本発明の実施の形態１における食器洗い機の運転動作を示すフローチャート
【図２】従来の食器洗い機の側断面図
【符号の説明】
【００２２】
１  洗浄槽
４  ノズル
８  洗浄ポンプ
９  排水ポンプ
１０  給水弁（給水手段）
１１  水位検知装置
１３  制御装置
【図１】
2005237405.tif 000003
【図２】
2005237405.tif 000004